(57)【要約】【課題】熱変性油などの変成油が付着した床面に塗布、乾燥させるだけの簡単な処理で床面をべたつきのないサラサラな感触に改善する床用感触改善剤、床用処理剤組成物、及び床面の処理方法を提供する。【解決手段】（Ａ）アルキルグリコシド型界面活性剤［以下、（Ａ）成分という］、任意の（Ｂ）（Ａ）成分以外の界面活性剤［以下、（Ｂ）成分という］、及び水を含有し、（Ａ）成分の含有量と、（Ａ）成分と（Ｂ）成分の合計含有量との質量比（Ａ）／［（Ａ）＋（Ｂ）］が、０．５５を超え、３０℃におけるｐＨが４以上９未満である、床用処理剤組成物。【選択図】なし【特許請求の範囲】
【請求項１】
（Ａ）アルキルグリコシド型界面活性剤からなる床用感触改善剤。
【請求項２】
（Ａ）アルキルグリコシド型界面活性剤［以下、（Ａ）成分という］、任意の（Ｂ）（Ａ）成分以外の界面活性剤［以下、（Ｂ）成分という］、及び水を含有し、（Ａ）成分の含有量と、（Ａ）成分と（Ｂ）成分の合計含有量との質量比（Ａ）／［（Ａ）＋（Ｂ）］が、０．５５を超え、３０℃におけるｐＨが４以上９未満である、床用処理剤組成物。
【請求項３】
（Ｂ）成分が陽イオン界面活性剤を含む、請求項２に記載の床用処理剤組成物。
【請求項４】
更に、（Ｃ）香料［以下、（Ｃ）成分という］を含有する、請求項２又は３に記載の床用処理剤組成物。
【請求項５】
更に、（Ｄ）溶剤［以下、（Ｄ）成分という］を含有する、請求項２〜４の何れか1項に記載の床用処理剤組成物。
【請求項６】
水を除く全成分中、（Ａ）成分の合計含有量の割合が９０質量％以上である、但し任意の（Ｂ）成分〜（Ｄ）成分を含有する場合は、それらの含有量も前記合計含有量に含む、請求項２〜５の何れか１項に記載の床用処理剤組成物。
【請求項７】
（Ａ）アルキルグリコシド型界面活性剤を５ｐｐｍ以上１０００ｐｐｍ以下、及び水を含有する組成物を床に塗布し、乾燥させる床面の処理方法。
【請求項８】
（Ａ）アルキルグリコシド型界面活性剤を５ｐｐｍ以上１０００ｐｐｍ以下、及び水を含有する組成物を床に塗布し、水拭きせずに乾燥させる床面の処理方法。
【発明の詳細な説明】
【技術分野】
【０００１】
本発明は、床用感触改善剤、床用処理剤組成物、及び床面の処理方法に関する。
【背景技術】
【０００２】
生活環境を裸足で過ごすことが多い国や地域においては、床用洗浄剤組成物を含有する洗浄水を用いてモップで床面を水拭きする掃除を日常行っている。このような日常の掃除は汗汚れや土埃などの軽度な汚れを除去するには十分であるが、調理時に飛沫した油汚れや足の汗に由来する油などが熱や光や空気中の酸素などで変質した変成油は、床面に付着するとべたつき、従来の洗浄水で水拭きするだけではこのようなべたつきは除去できない。そのため、このようなべたつきを除去するためには本格的な床洗浄が必要となる。
【０００３】
特許文献１には、特定のアルキルグリコシド、特定の非イオン界面活性剤、陰イオン界面活性剤、及び香料を含有し、洗浄後の速乾性と仕上がり性に優れた床などの硬質表面用洗浄剤組成物が開示されている。
特許文献２には、アルキルグリコシド、特定の殺菌剤、脂肪酸塩を含有し、プラスチック、タイル、木材などの表面の洗浄と殺菌とを同時に行える簡便性に優れた洗浄剤が開示されている。
特許文献３には、アルキルグリコシドと艶出し成分である特定のポリマーを含有し、木の床の表面の艶出し効果を有する洗浄剤組成物が開示されている。
特許文献４には、アルキルグリコシド、アミン類、及び水溶性溶剤を含有する樹脂ワックス皮膜剥離剤組成物が開示されている。
【先行技術文献】
【特許文献】
【０００４】
【特許文献１】特開２０１５−００７２２０号公報
【特許文献２】特開２０００−２９７２９６号公報
【特許文献３】特表２００７−５１３２１５号公報
【特許文献４】特開２００４−１４３２５１号公報
【発明の概要】
【発明が解決しようとする課題】
【０００５】
しかしながら、特許文献１、２に開示の組成物は、変性油の洗浄を目的としておらず、該組成物を含有する洗浄水を用いてモップで床面を水拭きしても、変成油が付着した床面の感触を改善するものではない。
また特許文献３に開示の組成物は、艶出し成分である特定のポリマーで木の床の光沢を増強する組成物であり、このような成分を含有しない床用処理剤が日常の水拭き処理だけで変成油が付着した床面の感触を改善することを示唆するものではない。
特許文献４に開示の組成物は、アミン類を含有していることからアルカリ性であり、しかも樹脂ワックス剥離剤であることからすすぎ工程を要するため変成油が付着した床面の感触を改善するものではない。
【０００６】
本発明は、熱変性油などの変成油が付着した床面に塗布、乾燥させるだけの簡単な処理で床面をべたつきのないサラサラな感触に改善する床用感触改善剤、床用処理剤組成物、及び床面の処理方法を提供することを目的とする。
本願明細書において、変性油とは、熱、日光、空気中の酸素等の作用により変質した油性分を含むものをいう。また熱変性油とは、熱により変性した油であり、熱により酸化した油成分を含むものをいう。
【課題を解決するための手段】
【０００７】
本発明は、（Ａ）アルキルグリコシド型界面活性剤からなる床用感触改善剤に関する。
【０００８】
また本発明は、（Ａ）アルキルグリコシド型界面活性剤［以下、（Ａ）成分という］、任意の（Ｂ）（Ａ）成分以外の界面活性剤［以下、（Ｂ）成分という］、及び水を含有し、（Ａ）成分の含有量と、（Ａ）成分と（Ｂ）成分の合計含有量との質量比（Ａ）／［（Ａ）＋（Ｂ）］が、０．５５を超え、３０℃におけるｐＨが４以上９未満である、床用処理剤組成物に関する。
【０００９】
また本発明は、（Ａ）アルキルグリコシド型界面活性剤を５ｐｐｍ以上１０００ｐｐｍ以下、及び水を含有する組成物を床に塗布し、乾燥させる床面の処理方法に関する。
【発明の効果】
【００１０】
本発明によれば、熱変性油などの変成油が付着した床面に塗布、乾燥させるだけの簡単な処理で床面をべたつきのないサラサラな感触に改善する床用感触改善剤、床用処理剤組成物、及び床面の処理方法が提供される。更に、本発明によれば、変成油が付着した床面に塗布、乾燥させるだけで床面をべたつきのないサラサラな感触に改善できることから、水拭きせずに洗浄を完了することができる、床面の処理方法が提供される。
【発明を実施するための形態】
【００１１】
［床用感触改善剤］
本発明は、（Ａ）成分からなる床用感触改善剤である。
【００１２】
本発明の（Ａ）成分が床面をべたつきのないサラサラな感触に改善することができる効果については十分には解明できていないが、アルキルグリコシドは他の非イオン界面活性剤に比較して結晶が析出しやすく、乾燥した場合に析出したアルキルグリコシドの結晶が表面に残り、サラサラな感触を付与できると考えられる。
【００１３】
本発明で用いる（Ａ）成分は、床の感触改善の観点から、炭素数が好ましくは８以上、より好ましくは１０以上、そして、好ましくは１８以下、より好ましくは１６以下の直鎖又は分岐鎖のアルキル基、好ましくは直鎖のアルキル基であり、糖の平均縮合度が好ましくは１以上、そして、好ましくは３以下、より好ましくは２以下、更に好ましくは１．５以下のアルキルグリコシドである。
【００１４】
（Ａ）成分としては、下記一般式（Ａ１）で表される化合物が好適である。
Ｒ１ａ（ＯＲ２ａ）ｘＧｙ                  （Ａ１）
〔式中、Ｒ１ａは炭素数８以上１８以下の直鎖又は分岐鎖のアルキル基を示し、Ｒ２ａは炭素数２以上４以下のアルキレン基を示し、Ｇは炭素数５又は６の糖に由来する残基を示し、ｘはその平均値が０以上５以下となる数を示し、ｙはその平均値が１以上３以下となる数を示す。〕
【００１５】
上記一般式（Ａ１）において、Ｒ１ａは、床の感触改善の観点から、炭素数８以上、好ましくは１０以上、そして、１８以下、好ましくは１６以下、より好ましくは１４以下の直鎖又は分岐鎖のアルキル基、好ましくは直鎖のアルキル基である。また、Ｒ２ａで示されるアルキレン基としては、床の感触改善の観点から、炭素数２のものが好ましい。また、Ｇで示される炭素数５又は６の糖に由来する残基は、使用される単糖類もしくは２糖類以上の糖によってその構造が決定される。Ｇとしては、単糖類ではグルコース、ガラクトース、キシロース、マンノース、リキソース、アラビノース、フルクトース又はこれらの混合物等に由来する残基が挙げられ、２糖類以上ではマルトース、キシロビオース、イソマルトース、セロビオース、ゲンチビオース、ラクトース、スクロース、ニゲロース、ツラノース、ラフィノース、ゲンチアノース、メンジトース又はこれらの混合物等に由来する残基が挙げられる。これらのうち好ましい原料は、床の感触改善の点、及びこれらの入手性及び低コストの点から、単糖類ではグルコース及びフルクトースであり、２糖類以上ではマルトース及びスクロースである。
【００１６】
また、上記一般式（１）中のｘは、ＯＲ２ａの平均付加モル数であり、好ましくは０以上、そして、好ましくは５以下、より好ましくは３以下、更に好ましくは１以下であり、また０であってもよく、結晶性を高めるために０が最も好適である。このｘの値により（Ａ）成分の水溶性及び結晶性を調節することができる。すなわち、ｘが大きい値となるほど（Ａ）成分の水溶性が高くなりかつ結晶性が低くなる傾向にある。
【００１７】
また上記一般式（１）中のｙの平均値が１より大きい場合、つまり（Ａ）成分が２糖類以上の糖鎖を親水性基とする場合、糖鎖の結合様式が１−２、１−３、１−４、１−６結合又はα−、β−ピラノシド結合もしくはフラノシド結合及びこれらの混合された結合様式である任意の混合物を含むことが可能である。
【００１８】
上記一般式（１）中のｙは、その平均値が、１以上、そして、３以下、好ましくは２以下、より好ましくは１．５以下である。このｙの値（糖の平均縮合度）は1Ｈ−ＮＭＲにより測定する。具体的な測定方法としては、特開平８−５３６９６号公報第６頁第１０欄２６行目〜７頁第１１欄１５行目を参照する。
【００１９】
本発明の（Ａ）成分からなる床用感触改善剤を、水等の溶媒に溶かして、変成油が付着した床面に塗布、乾燥させると、床面をべたつきのないサラサラな感触に改善することができる。
【００２０】
［床用処理剤組成物］
本発明は、（Ａ）成分、任意の（Ｂ）成分、及び水を含有し、（Ａ）成分の含有量と、（Ａ）成分と（Ｂ）成分の合計含有量との質量比（Ａ）／［（Ａ）＋（Ｂ）］が、０．５５を超え、３０℃におけるｐＨが４以上９未満である、床用処理剤組成物である。
本発明の床用処理剤組成物は、（Ａ）成分であるアルキルグリコシドの結晶化を妨げる他の成分、例えば、（Ａ）成分以外の界面活性剤である（Ｂ）成分の含有量を制限することが必要である。
本発明の床用処理剤組成物は、本発明の（Ａ）成分からなる床用感触改善剤で上記した事項を適宜適用することができる。また本発明の床用処理剤組成物における（Ａ）成分は、本発明の床用感触改善剤で記載した（Ａ）成分と同じである。
【００２１】
本発明の床用処理剤組成物は、（Ａ）成分を、床の感触改善の観点から、好ましくは０．０１質量％以上、より好ましくは０．１質量％以上、更に好ましくは１質量％以上、そして、（Ａ）成分の濃度が高すぎると床のさらさら感が低下する傾向にある観点から、好ましくは５０質量％以下、より好ましくは１５質量％以下、更に好ましくは１０質量％以下、より更に好ましくは５質量％以下、より更に好ましくは２．５質量％以下、より更に好ましくは２質量％以下含有する。
【００２２】
本発明の床用処理剤組成物は、（Ｂ）成分として、（Ａ）成分以外の界面活性剤を含有してもよいが、（Ａ）成分による床の感触改善の観点から、（Ｂ）成分の含有量は制限される。
本発明の床用処理剤組成物中、（Ａ）成分の含有量と、（Ａ）成分と（Ｂ）成分の合計含有量との質量比（Ａ）／［（Ａ）＋（Ｂ）］は、床の感触改善の観点から、０．５５を超え、好ましくは０．６以上、より好ましくは０．６５以上、更に好ましくは０．７以上、より更に好ましくは０．８以上、そして、１以下であり、また１であってもよい。本発明の床用処理剤組成物は、（Ｂ）成分を含有しないことがより好ましい。
【００２３】
本発明の床用処理剤組成物において、床用処理剤組成物に殺菌効果を付与することも生活者の要望として重要であることを踏まえ、殺菌剤を配合することが好ましい。本発明の床用処理剤組成物は、殺菌効果を付与するために、（Ｂ）成分が陽イオン界面活性剤［以下、（Ｂ１）成分ともいう］を含むことが好ましい。
【００２４】
（Ｂ１）成分は、殺菌効果を付与するものであれば特に制限されないが、窒素原子に結合する炭素数が好ましくは８以上、そして、好ましくは２２以下、より好ましくは１８以下、更に好ましくは１６以下のアルキル基を１又は２本有し、残りの窒素原子に結合する有機基が炭素数１以上３以下の短鎖アルキル基又はヒドロキシアルキル基又は１つ迄のベンジル基であって塩酸塩又はメチルもしくはエチル硫酸の塩である４級アンモニウム塩型の陽イオン界面活性剤を挙げることができる。
【００２５】
（Ｂ１）成分は、具体的には、ジアルキル（１つのアルキル基の炭素数が８以上１８以下）ジメチルアンモニウム塩、モノアルキル（炭素数が８以上１８以下）トリメチルアンモニウム塩、アルキル（炭素数が８以上１８以下）ジメチルベンジルアンモニウム塩、及びベンゼトニウム塩から選ばれる１種以上が好適であり、塩としては塩酸塩、もしくはメチルもしくはエチル硫酸塩である。（Ｂ１）成分は、殺菌性及び床の感触の観点から、アルキル（炭素数１２以上１６以下）ジメチルベンジルアンモニウム塩がより好ましい。
【００２６】
本発明の床用処理剤組成物が（Ｂ１）成分を含有する場合、（Ａ）成分の含有量と、（Ａ）成分と（Ｂ１）成分の合計含有量との質量比（Ａ）／［（Ａ）＋（Ｂ１）］は、床の感触改善の観点から、好ましくは０．５５を超え、より好ましくは０．６以上、更に好ましくは０．６５以上、そして、殺菌効果の観点から、好ましくは０．９以下であり、より好ましくは０．８以下、更に好ましくは０．７以下である。なお（Ｂ１）成分の含有量は、陽イオン界面活性剤の対イオンを塩化物イオンにした場合に換算される含有量から算出される。
【００２７】
一般に床用処理剤組成物には、床に存在する汚れを洗浄する目的から陰イオン界面活性剤、及び（Ａ）成分以外の非イオン界面活性剤から選ばれる１種以上の界面活性剤［以下、（Ｂ２）成分ともいう］を含有する場合が多い。しかしながら、本発明の床用処理剤組成物では、（Ａ）成分の結晶性を低下させる恐れがあるために（Ｂ２）成分を含有しないことが好ましい。
本発明の床用処理剤組成物が、変性油を洗浄除去することを目的に（Ｂ２）成分を含有する場合、（Ａ）成分の含有量と、（Ａ）成分と（Ｂ２）成分の合計含有量との質量比（Ａ）／［（Ａ）＋（Ｂ２）］は、床の感触改善の観点から、好ましくは０．７を以上、より好ましくは０．８以上、更に好ましくは０．９以上、特に好ましくは０．９９以上、そして、好ましくは１未満である。なお（Ｂ２）成分が陰イオン界面活性剤を含む場合、陰イオン界面活性剤の含有量は、陰イオン界面活性剤を酸型にした場合に換算される含有量から算出される。
【００２８】
本発明の床用処理剤組成物は、嗜好性の観点から、（Ｃ）成分として、香料を含有してもよい。（Ｃ）成分は、単独の香料成分を用いてもよく、複数の香料成分を特定の比率で含有する香料組成物として用いることもできる。香料成分としては、「香料の化学」（赤星亮一著、日本化学会編産業化学シリーズ昭和５８年９月１６日発行）や「合成香料化学と商品知識」（印藤元一著、化学工業日報社、１９９６年３月６日発行）や「香料と調香の基礎知識」（中島基貴著、産業図書（株）、１９９５年６月２１日発行）に記載のものを用いることができる。（Ｃ）成分としては、汚れの洗浄効果や、菌により発生するニオイの抑制効果に優れるものが好ましい。
【００２９】
（Ｃ）成分は、具体的には、炭化水素系香料、アルコール系香料、エーテル系香料、アルデヒド系香料、ケトン系香料、エステル系香料、ラクトン系香料、環状ケトン系香料及び含窒素系香料から選ばれる１種以上、好ましくは炭化水素系香料、アルコール系香料及びアルデヒド系香料から選ばれる１種以上を挙げることができる。
【００３０】
（Ｃ）成分は、より具体的には、好ましい香料として、トナライド、オキサシクロヘキセデセン−２−オン、ガラクソライド、サリチル酸ヘキシル、α−ヘキシルシンナミックアルデヒド、１，２，３，４，５，６，７，８−オクタヒドロ−２，３，８，８−テトラメチル−２−アセトナフトン、サリチル酸アミル、イソカンフィルシクロヘキサノール、サリチル酸シクロヘキシル、テルピノーレン、リモネン、α−アミルシンナミックアルデヒド、サリチル酸ベンジル、β−ピネン、酢酸ｐ−ｔ−ブチルシクロヘキシル、酢酸ｏ−ｔ−ブチルシクロヘキシル、酢酸イソノニル、メチルヨノン−Ｇ、１−（２−ｔ−ブチルシクロヘキシルオキシ）−２−ブタノール、アリルシクロヘキシルプロピオン酸アリル、３，３，５−トリメチルシクロヘキシルエチルエーテル、酢酸ジメチルベンジルカルビニル、リリアール、γ−ウンデカラクトン、β−ヨノン、酢酸テルピニル、テトラヒドロリナロール、酢酸リナリル、ヘキサン酸アリル、３−メチル−５−フェニルペンタノール、ジヒドロミルセノール、イソ酪酸フェニルエチル、プロピオン酸トリシクロデセニル、酢酸ジメチルベンジルカルビニル、ゲラニオール、１，８−シネオール、メチルβ−ナフチルケトン、テルピネロール、ボルネオール、リナロール、アリルアミルグリコレート、ジヒドロジャスモン酸メチル、酢酸トリシクロデセニル、カンファー、酢酸ベンジル、アニスアルデヒド、クマリン、ヘリオトロピン、ユーカリオイル、及びエチレンブラシレートから選ばれる１種以上の香料が好ましい。特にこれら香料のｌｏｇＰ（オクタノール／水分配係数）が１より大きい香料が好ましく、２より大きい香料がより好ましい。
【００３１】
本発明では、汚れの洗浄効果や菌により発生するニオイの抑制効果の観点から、ユーカリオイルなどの香料組成物を（Ｃ）成分として含むことが好ましい。
【００３２】
本発明の床用処理剤組成物は、（Ｃ）成分を、嗜好性の観点から、好ましくは０．０１質量％以上、より好ましくは０．０５質量％以上、更に好ましくは０．１質量％以上、そして、組成物の貯蔵安定性の観点から、好ましくは１．５質量％以下、より好ましくは１質量％以下、更に好ましくは０．８質量％以下含有する。
【００３３】
本発明の床用処理剤組成物が（Ｃ）成分を用いる場合、（Ｃ）成分は非水溶性の場合が多いため、（Ｃ）成分を含有する場合には貯蔵安定性の観点から注意を要する。本発明の床用処理剤組成物が（Ｃ）成分を含有する場合、（Ｃ）成分の含有量と、（Ａ）成分と（Ｂ）成分の合計含有量との質量比（Ｃ）／［（Ａ）+（Ｂ）］は、貯蔵安定性及び嗜好性の観点から、好ましくは０．０１以上、より好ましくは０．０５以上、更に好ましくは０．１以上、そして、好ましくは１．０以下、より好ましくは０．８以下、更に好ましくは０．４以下である。
【００３４】
本発明の床用処理剤組成物は、組成物の配合安定性の観点から、（Ｄ）成分として、溶剤を含有してもよい。溶剤としては、２０℃における水への溶解度が５質量％以上の水溶性溶剤が好ましく、水酸基を１つ以上有するアルコール系溶剤及びグリコール系溶剤から選ばれる１種以上の溶剤が好適である。具体的にはエタノール、イソプロピルアルコール、エチレングリコール、プロピレングリコール、ジエチレングリコール、ジプロピレングリコール、グリセリン、イソプレングリコール、エチレングリコールモノアルキル（炭素数４以上８以下）エーテル、ジエチレングリコールモノアルキル（炭素数４以上８以下）エーテル、プロピレングリコールモノメチルエーテル、プロピレングリコールモノエチルエーテル、プロピレングリコールモノプロピルエーテル、プロピレングリコールモノブチルエーテル、ジプロピレングリコールアルキル（炭素数１以上４以下）エーテル、ポリオキシエチレン（エチレンオキサイド平均付加モル数１以上５以下）モノフェニルエーテル及びモノアルキル（炭素数３以上８以下）グリセリルエーテルから選ばれる１種以上の溶剤が挙げられる。
本発明の床用処理剤組成物において、組成物の貯蔵安定性の観点から、（Ｄ）成分は、ポリオキシエチレン（エチレンオキサイド平均付加モル数１以上５以下）モノフェニルエーテルが好ましく、ジエチレングリコールモノフェニルエーテル又はフェノキシエタノールがより好ましい。またこれらの溶剤は殺菌効果もあるため防腐効果も期待される。
【００３５】
本発明の床用処理剤組成物は、（Ｄ）成分を、組成物の貯蔵安定性の観点から、好ましくは０．０５質量％以上、より好ましくは０．１質量％以上、更に好ましくは０．５質量％以上、そして、好ましくは１０質量％以下、より好ましくは５質量％以下、更に好ましくは２質量％以下含有する。更に、（Ｄ）成分がポリオキシエチレン（エチレンオキサイド平均付加モル数１以上５以下）モノフェニルエーテルである場合、本発明の床用処理剤組成物は、（Ｄ）成分を、組成物の貯蔵安定性及び防腐効果付与の観点から好ましくは０．０５質量％以上、より好ましくは０．１質量％以上、更に好ましくは０．５質量％以上、そして、好ましくは１０質量％以下、より好ましくは５質量％以下、更に好ましくは２質量％以下含有する。
【００３６】
本発明の床用処理剤組成物は、洗浄操作において常に求められる衛生の観点から、（Ｅ）成分として、殺菌剤（但し、（Ｂ１）成分及び（Ｄ）成分は除かれる）を含有しても良い。ここで本発明の殺菌剤は、「香粧品、医薬品防腐・殺菌剤の科学」吉村孝一、滝川博文著、フレグランスジャーナル社、１９９０年４月１０日発行、５０１頁〜５６４頁に記載されているものを使用しても良い。例えばトリクロサン、ビス−（２−ピリジルチオー１−オキシド）亜鉛、２，４，５，６−テトラクロロイソフタロニトリル、トリクロロカルバニリド、２−（４−チオシアノメチルチオ）ベンズイミダゾール、ポリヘキサメチレンビグアニジン塩酸塩、グルクロン酸クロルヘキシジン、８−オキシキノリン、及びポリリジンから選ばれる１種以上である。また、特開平１１−１８９９７５号に記載されているトリクロサン類自体、具体的にはジクロロヒドロキシジフェニルエーテル、モノクロロヒドロキシジフェニルエーテルを使用しても良い。
【００３７】
本発明の床用処理剤組成物は、（Ｅ）成分を、殺菌性の観点から、好ましくは０．００１質量％以上、より好ましくは０．０１質量％以上、更に好ましくは０．１質量％以上、そして、好ましくは1質量％以下、より好ましくは０．５質量％以下、更に好ましくは０．１質量％以下含有する。但し（Ｅ）成分の含有量には、（Ｂ１）成分及び（Ｄ）成分は除かれる。
【００３８】
本発明の床用処理剤組成物は、水を含有する液体組成物である。上記成分を水に溶解、分散、乳化させた形態のいずれであってもよい。水は金属成分を除去したイオン交換水や蒸留水、あるいは次亜塩素酸を０．５ｐｐｍ以上、１０ｐｐｍ以下程度溶解させた次亜塩素酸滅菌水などを使用することができる。水は組成物の残部であり、全体を１００質量％とする量で含有される。
【００３９】
本発明の床用処理剤組成物において、３０℃におけるｐＨが、床の感触改善の観点から、４以上、好ましくは５以上、そして、９未満、好ましくは８以下、より好ましくは７以下、更に好ましくは６．５以下である。このようなｐＨへ調整するｐＨ調整剤としては、硫酸、塩酸、リン酸から選ばれる無機酸、クエン酸、りんご酸、マレイン酸、フマール酸、コハク酸、乳酸、グリコール酸から選ばれる有機酸、水酸化ナトリウム、水酸化カリウム、水酸化マグネシウム、炭酸ナトリウム、炭酸カリウムなどの無機アルカリ剤を用いて行われる。本発明では、洗浄剤組成物に緩衝能を持たせることが洗浄力持続性の点から好ましく、上記有機酸、好ましくはクエン酸、及び無機アルカリ剤を併用することが好適である。有機酸はナトリウム塩やカリウム塩の形態で洗浄剤組成物に配合しても差し支えないが、含有量は酸の形態として、本発明の床用処理剤組成物中、好ましくは０．００１質量％以上、より好ましくは０．０１質量％以上、そして、好ましくは１質量％以下、より好ましくは０．５質量％以下、更に好ましくは０．１質量％以下である。無機アルカリ剤の含有量は、本発明の床用処理剤組成物中、好ましくは０．００１質量％以上、より好ましくは０．００５質量％以上、そして、好ましくは０．１質量％以下、より好ましくは０．０５質量％以下である。
【００４０】
本発明の床用処理剤組成物は、ワックス、樹脂ワックス、シリコン等の艶出し剤を含有しなくとも、熱変性油などの変成油が付着した床面をべたつきのないサラサラな感触に改善することができる。すなわち、本発明の床用処理剤組成物において、水を除く全成分中、（Ａ）成分及び任意成分である（Ｂ）成分〜（Ｄ）成分の合計含有量の割合は、床の感触改善の観点から、好ましくは９０質量％以上、より好ましくは９３質量％以上、更に好ましくは９５質量％以上、そして、好ましくは９９．５質量％以下、より好ましくは９９質量％以下、更に好ましくは９８．５質量％以下である。
また本発明の床用処理剤組成物において、水を除く全成分中、（Ａ）成分の含有量の割合は、床の感触改善の観点から、２０質量％以上、更に３０質量％以上、更に４０質量％以上、更に５０質量％以上、そして、９５質量％以下、更に８０質量％以下、更に７０質量％以下、更に６０質量％以下から選択できる。
【００４１】
本発明の床用処理剤組成物は、床の水拭き用組成物ないし水拭き用物品として好適である。すなわち、居間、部屋、台所、浴室、トイレといった居住まわり等の床の軽い洗浄に好適に用いられる。床としては、石床、寄木張り、タイル、リノリウム及びプラスチック床が挙げられ、好ましくはタイル製の床に好適である。本発明の床用処理剤組成物は、熱変性油などの変成油が付着した床面に塗布、乾燥させるだけの簡単な処理で床面をべたつきのないサラサラな感触に改善することができ、また、別途水拭き（二度拭き）をしなくとも、本発明の効果が得られるため、水拭きは必要としない。
【００４２】
本発明の床用処理剤組成物は、汚れが少ない床に対して使用する場合には、水で５０倍以上、更に８０倍以上、そして、２００倍以下、更に１５０倍以下に希釈した処理液として床面に塗布されることが好ましい。
【００４３】
また、本発明の床用処理剤組成物又はこれを前記のように希釈した処理液（以下、単に処理液という場合もある）は、基体に含浸させて清掃用物品として使用することもできる。本発明の床用処理剤組成物又は処理液を基体に含浸させた清掃用物品は、清掃作業の作業性の観点から好ましい。
【００４４】
床用処理剤組成物又は処理液を含浸させた清掃用物品に用いられる基体としては、可撓性を有し、床用処理剤組成物又は処理液が含浸可能なものであり、使用時に十分な強度を有し、くず等の発生の無いものが用いられる。特に、無荷重下において後述の量の床用処理剤組成物又は処理液を含浸し得る基体を用いることが好ましい。
【００４５】
そのような基体としては、繊維状材料から構成される繊維構造体、例えば、各種紙、不織布、織布若しくは編布が挙げられる。これらの繊維構造体を構成する繊維状材料としては、例えば、セルロース系繊維、変性セルロース系繊維、合成繊維及びこれらの二種以上の混合物等が挙げられる。
【００４６】
また、樹脂中に気泡を分散させて得られる多孔質構造体（例えば、スポンジ状構造体）も上記基体として使用できる。
【００４７】
また、本発明の床用処理剤組成物又は処理液を含浸させた清掃用物品を用いて床面を拭く洗浄方法は、清掃作業の作業性の観点から、床面の軽い洗浄に好ましい。床用処理剤組成物又は処理液を含浸させた清掃用物品は、基体に予め床用処理剤組成物又は処理液を含浸させてなるもの、あるいは乾燥した基体に床用処理剤組成物又は処理液をスプレー等により使用直前に含浸させてなるもの、の何れでもよい。また、スプレーされた清掃用物品を用いて被清掃面を清掃してもよい。床用処理剤組成物又は処理液を含浸させた清掃用物品は、モップ状の掃除具に装着されて用いられてもよいし、直接手で持って拭き掃除に用いられてもよい。
【００４８】
予め床用処理剤組成物又は処理液が含浸されている場合、床用処理剤組成物又は処理液の含浸率は清掃性の観点から、基体質量〔即ち、未含浸状態（乾燥状態）の基体の質量基準〕あたり、１００質量％以上であることが好ましく、１５０質量％以上であることがより好ましく、そして、１０００質量％以下であることが好ましく、４００質量％以下であることがより好ましく、３５０質量％以下であることが更に好ましい。含浸率が１００質量％以上であれば、シミ汚れや土ボコリに対する十分な清掃性能が得られる。１０００質量％以下であれば、被清掃面への洗浄剤組成物の放出量が適正となり被清掃面に汚れや土ボコリが残留せず、また、木質系材料など種々の材料からなる清掃面に影響なく使用できる。清掃性の一層の向上の点から、基体がシートである場合、床用処理剤組成物又は処理液の含浸前の坪量は、一定面積の洗浄に必要な処理剤の保持性とシートの操作性やコストとの観点から、４０ｇ／ｍ2以上であることが好ましく、５０ｇ／ｍ2以上であることがより好ましく、そして、２００ｇ／ｍ2以下であることが好ましく、１５０ｇ／ｍ2以下であることがより好ましい。
【００４９】
床用処理剤組成物又は処理液を含浸させた清掃用物品使用時に、別途本発明の床用処理剤組成物又は処理液を、被清掃物又は前記清掃用物品に、噴霧しながら使用してもよい。当該使用方法によって、より広い面積を清掃することができる。
【００５０】
［床面の処理方法］
本発明は、（Ａ）成分を５ｐｐｍ以上１０００ｐｐｍ以下、及び水を含有する組成物を床に塗布し、乾燥させる床面の処理方法である。更に本発明は、（Ａ）成分を５ｐｐｍ以上１０００ｐｐｍ以下、及び水を含有する組成物を床に塗布し、水拭き（二度拭き）せずに乾燥させる床面の処理方法である。
【００５１】
本発明の床面の処理方法は、（Ａ）成分を、５ｐｐｍ以上、好ましくは５０ｐｐｍ以上、より好ましくは１００ｐｐｍ以上、そして、１０００ｐｐｍ以下、好ましくは５００ｐｐｍ以下、より好ましくは２００ｐｐｍ以下の含有量となるように調製した組成物を、床面に塗布すればよい。前記組成物は、本発明の床用処理剤組成物を水で希釈して調製したものを用いることが好ましい。
【００５２】
本発明の床面の処理方法において、（Ａ）成分を５ｐｐｍ以上１０００ｐｐｍ以下、及び水を含有する組成物は、本発明の床用処理剤組成物を用いて調製してもよく、（Ａ）成分及びその好ましい態様並びに任意成分は、本発明の床用処理剤組成物で上記した事項と同じである。本発明の床面の処理方法は、本発明の床用処理剤組成物で上記した事項を適宜適用することができる。
【実施例】
【００５３】
下記配合成分を用いて、表１、２に示す床用処理剤組成物を調製し、以下の項目について評価を行った。結果を表１、２に示す。
表１、２の床用処理剤組成物は、常法により調製した。即ち、適量のイオン交換水に（Ａ）成分、（Ｂ）成分、（Ｃ）成分、及び（Ｄ）成分を添加し、室温（２５℃）で溶解させた後、水酸化ナトリウム又は／及びクエン酸一水和物を添加してｐＨ（３０℃、ガラス電極法）を表１、２に示す値に調整した。なお、表１、２中の配合成分の質量％は、全て有効分に基づく数値である。
【００５４】
＜配合成分＞
（Ａ）成分
・ＡＧ：アルキルグリコシド、一般式（Ａ１）中、Ｒ１ａが炭素数８以上１６以下の混合アルキル基、Ｇがグルコースに由来する残基、ｘが０、ｙが１．３の化合物
（Ｂ）成分
・カチオン界面活性剤：アルキル基の炭素数が１２以上１６以下のアルキルジメチルベンジルアンモニウムクロリド
（Ｃ）成分
・香料ａ：ジヒドロミルセノール４０質量％、ユーカリオイル２５質量％、リナロール１５質量％、エチレンブラシレート１５質量％、ジヒドロジャスモン酸メチル５質量％を含有する香料組成物
（Ｄ）成分
・フェノキシエタノール：日本乳化剤(株)製
ｐＨ調整剤
・クエン酸：クエン酸一水和物
・水酸化ナトリウム：４８％水酸化ナトリウム
【００５５】
＜評価方法＞
（１）感触評価１
１０ｃｍ×１０ｃｍのタイル上に菜種油（山桂産業株式会社）２００μｌを均一に塗布し、恒温槽にて９０℃で１５０分加熱し、これを熱変性油が付着したモデル汚れとした。硬度を５°ｄＨに調整した水を用い、表１の床用処理剤組成物を１００倍に希釈した処理液３ｍｌを、キムワイプ（商品名）に含浸させ、熱変性油汚れが付着したタイル上を1ストロークだけ拭きとった。処理液が乾いた後、５名の熟練したパネラーが各々２回ずつ、手指で触ってタイルのベタつきを下記評価基準に基づいて評価した。結果を表１に示す。表１中、５名の熟練したパネラーが各々２回ずつ下記の基準で判定し、その平均値を求め採用した。
３点：実施例１の処理液で拭いた部分と同じで、床がベタつかず、サラサラした。
２点：実施例１の処理液で拭いた部分と比較して、床がベタつく感じがした。
１点：実施例１の処理液で拭いた部分と比較して、床が明らかにベタつく感じがした。
【００５６】
【表１】
2019163393.tif 000002
【００５７】
（２）感触評価２
普段から市販の床洗浄剤を用いて床をモップで水拭きしている一般女性に、普段の床洗浄剤に換えて表２の実施例３〜５の各床用処理剤組成物を1ヶ月使用させた（各床用処理剤組成物に対して各１０名）。使用方法は実施例３〜５の各床用処理剤組成物を水道水で１００倍に希釈した処理液を、モップに含浸させて、床を水拭きし、1か月間使用させたのちに、乾燥後の床の感触を「普段の清掃よりも、掃除後に床がベタつかず、サラサラした」と答えた人数を数えた。結果を表２に示す。
【００５８】
【表２】
2019163393.tif 000003